(57)【要約】【課題】  無線通信装置に電源を供給する屋内の商用電源ラインをアンテナとして兼用することでシステムの簡素化を図る。【解決手段】  屋内における商用電源ライン４１から供給されたＡＣ電圧を直流電圧に変換する電源部３３と、直流電圧によって駆動される送信回路又は／及び受信回路３２とを有し、送信回路又は／及び受信回路３２のアンテナ接続端３２ａを電源部３３の入力側における一方の商用電源ライン３４ａに結合し、アンテナ接続端３２ａと一方の商用電源ライン３４ａとの結合点から所定の長さ離れた屋内の一方の商用電源ライン３４ａに高周波抵抗手段４３を設けた。【選択図】        図１
2005311966.tif 000002
【特許請求の範囲】
【請求項１】
屋内における商用電源ラインから供給されたＡＣ電圧を直流電圧に変換する電源部と、前記直流電圧によって駆動される送信回路又は／及び受信回路とを有し、前記送信回路又は／及び受信回路のアンテナ接続端を前記電源部の入力側における一方の商用電源ラインに結合し、前記アンテナ接続端と前記一方の商用電源ラインとの結合点から所定の長さ離れた屋内の前記一方の商用電源ラインに高周波抵抗手段を設けたことを特徴とする無線通信システム。
【請求項２】
前記商用電源ラインはＡＣプラグ付きのＡＣコードであり、前記ＡＣプラグ内に前記高周波抵抗手段を設けたことを特徴とする請求項１に記載の無線通信システム。
【請求項３】
前記高周波抵抗手段を前記ＡＣコードに設けたことを特徴とする請求項２に記載の無線通信システム。
【請求項４】
前記高周波抵抗手段は前記一方の商用電源ラインが挿通する環状のフェライトコアとしたことを特徴とする請求項１乃至３の何れかに記載の無線通信システム。
【請求項５】
前記アンテナ接続端と前記一方の商用電源ラインとの結合点から前記高周波抵抗手段が設けられた位置までの前記一方の商用電ラインの長さを送信周波数又は／及び受信周波数に対応する波長の１０／〜１／４としたことを特徴とする請求項１乃至４の何れかに記載の無線通信システム。
【発明の詳細な説明】
【技術分野】
【０００１】
この発明は、無線通信システムに関する。
【背景技術】
【０００２】
従来の無線通信システムを図５に従って説明する。アンテナ２で受信されたＴＶの受信波は給電線路３で伝送されてモデム４に入力される。モデム４は受信波を復調する。復調されたＴＶチャンネルはチャンネルセレクタ５により選択され、ＰＬＣモデム６によりＰＬＣ用のＯＦＤＭ変調を行う。次に、ＰＬＣ多重化装置７により、選択されたチャンネルを基幹電力線１に多重化して伝送する。
【０００３】
多重化された信号は、分岐電力線８によって分離される。分岐電力線８の先端には電源とＯＦＤＭ変調されたＴＶ信号を分離する信号復調モデム９が接続される。また、電源も分離され、このモデム９には電源用コンセントとＴＶ信号用のアダプタが付いている。モデム９にデジタルＴＶ２０の電源ケーブル１０とＴＶ用アンテナケーブル１１が接続され、ＴＶを見ることができる。このモデム９には、ＴＶ信号を抽出するのみでなく、ＶＨＦ帯あるいはＵＨＦ帯にアップコンバートする機能も含まれているため、セットトップボックスとして機能するものである。
【０００４】
ＴＶのチャンネル操作はリモコン２１から行う。リモコン２１で選択したチャンネルは基幹電力線１に多重化された制御信号１００として、チャンネルセレクタ５及びＰＬＣモデム６、ＰＬＣ多重化装置７を遠隔操作することができる。選択されたチャンネルは映像信号１０１として、基幹電力線１を伝送する（例えば、特許文献１参照。）。
【０００５】
【特許文献１】特開２００２−０４３９８９（図４）
【発明の開示】
【発明が解決しようとする課題】
【０００６】
上記に無線通信システムでは、アンテナで受信した受信信号をＰＬＣ多重化装置によって基幹電力線に多重化し、多重化された信号を信号復調モデムによって電源とＴＶ信号とを分離して信号復調モデムからＴＶに電源とＴＶ信号とを供給するので、システムが複雑になる。
【０００７】
本発明は、無線通信装置に電源を供給する屋内の商用電源ラインをアンテナとして兼用することでシステムの簡素化を図ることを目的とする。
【課題を解決するための手段】
【０００８】
上記の課題を解決する手段として、屋内における商用電源ラインから供給されたＡＣ電圧を直流電圧に変換する電源部と、前記直流電圧によって駆動される送信回路又は／及び受信回路とを有し、前記送信回路又は／及び受信回路のアンテナ接続端を前記電源部の入力側における一方の商用電源ラインに結合し、前記アンテナ接続端と前記一方の商用電源ラインとの結合点から所定の長さ離れた屋内の前記一方の商用電源ラインに高周波抵抗手段を設けた。
【０００９】
また、前記商用電源ラインはＡＣプラグ付きのＡＣコードであり、前記ＡＣプラグ内に前記高周波抵抗手段を設けた。
【００１０】
また、前記高周波抵抗手段を前記ＡＣコードに設けた。
【００１１】
また、前記高周波抵抗手段は前記一方の商用電源ラインが挿通する環状のフェライトコアとした。
【００１２】
また、前記アンテナ接続端と前記一方の商用電源ラインとの結合点から前記高周波抵抗手段が設けられた位置までの前記一方の商用電ラインの長さを送信周波数又は／及び受信周波数に対応する波長の１０／〜１／４とした。
【発明の効果】
【００１３】
請求項１に記載の発明によれば、ＡＣ電圧を直流電圧に変換する電源部と、直流電圧によって駆動される送信回路又は／及び受信回路とを有し、送信回路又は／及び受信回路のアンテナ接続端を電源部の入力側における一方の商用電源ラインに結合し、アンテナ接続端と一方の商用電源ラインとの結合点から所定の長さ離れた屋内の一方の商用電源ラインに高周波抵抗手段を設けたことによって、高周波抵抗手段が設けられた位置のでは、ＡＣコードが相互に高周波的に絶縁され、アンテナ接続端との結合点から高周波抵抗手段が設けられた位置までのＡＣコードが送信アンテナ又は受信アンテナとして機能するので、電源部にＡＣ電源を接続するだけで送信又は／及び受信が可能となる。
【００１４】
また、請求項２に記載の発明によれば、商用電源ラインはＡＣプラグ付きのＡＣコードであり、ＡＣプラグ内に高周波抵抗手段を設けたので、ＡＣプラグの挿入方向に関係なく商用電源ラインをアンテナとして兼用できる。
【００１５】
また、請求項３に記載の発明によれば、高周波抵抗手段をＡＣコードに設けたので、その設ける位置が調整できる。
【００１６】
また、請求項４に記載の発明によれば、高周波抵抗手段は一方の商用電源ラインが挿通する環状のフェライトコアとしたので、高周波的な抵抗を大きくできる。
【００１７】
また、請求項５に記載の発明によれば、アンテナ接続端と一方の商用電源ラインとの結合点から高周波抵抗手段が設けられた位置までの一方の商用電ラインの長さを送信周波数又は／及び受信周波数に対応する波長の１０／〜１／４としたので、効率の良いアンテナが構成できる。
【発明を実施するための最良の形態】
【００１８】
図１乃至図３を参照して本発明の無線通信システムを説明する。無線通信装置３１内には送信回路又は／及び受信回路３２と、この送信回路又は／及び受信回路３２に電源を供給する電源部３３とが組み込まれる。電源部３３はトランス３３ａとその二次側に接続された整流回路３３ｂとを有し、トランス３３ａの一次側にＡＣコード３４が接続される。ＡＣコード３４の先端にはＡＣプラグ３５が接続される。
【００１９】
屋外の商用電源ライン４０から屋内に引き込まれた屋内商用電源ライン４１にはＡＣコンセント４２が接続される。そして。ＡＣプラグ３５がＡＣコンセント４２に差し込まれることによって電源部３３に電源が供給され、電源部３３で変換された直流電圧が送信回路又は／及び受信回路３２に供給される。
【００２０】
ここで、送信回路又は／及び受信回路３２のアンテナ接続端３２ａ、即ち送信回路であればその出力端が、受信回路であればその入力端が無線通信装置３１内でトランス３３ａの一次側の一方に結合される。アンテナ接続端が３２ａが平衡端であれば一方がトランス３３ａの一次側に結合され、他方は接地される。従って、アンテナ接続端３２ａは商用電源ラインであるＡＣコード３４の一方３４ａに結合されることになる。さらに、一方のＡＣコード３４ａには、アンテナ接続端３２ａとの結合点から所定長離れた位置、例えば、送信周波数又は受信周波数に対応する波長の１０／乃至１／４離れた位置に、その位置よりも上流側の電源ラインと高周波的に絶縁するための高周波抵抗手段４３が設けられる。高周波抵抗手段４３は、例えば環状のフェライトコアからなり、図２に示すように、一方のＡＣコード３４ａがその中心孔に挿通される。この挿通位置はフェライトコアをＡＣコードに対して移動できるので、長さの調整が可能である。
【００２１】
このような構成にすることによって、高周波抵抗手段４３が設けられた位置の前後では、ＡＣコード３４ａが相互に高周波的に絶縁され、アンテナ接続端３２ａとの結合点から高周波抵抗手段４３が設けられた位置までのＡＣコード３４ａが送信アンテナ又は受信アンテナとして機能する。なお、図３に示すように、高周波抵抗手段４３をＡＣプラグ３５内に設けることも可能である。フェライトコアがＡＣプラグ３５内に設けられると外観上も見苦しくなく、またＡＣプラグ３５のＡＣコンセント４２への挿入方向に関係なくＡＣコード３４ａをアンテナとすることができる。そして、高周波抵抗手段４３が環状のフェライトコアである場合は、これを軸方向に２分割した２つの分割コアで構成すれば、ＡＣコードの挿通が簡単である。
【００２２】
高周波抵抗手段４３として高周波チョークコイルを使用することもできる。その場合は、図４に示すように屋内商用電源ラインの一方（ＡＣコード３４ａ）を途中で分断し、分断された双方を高周波チョークコイルによって接続すればよい。
【００２３】
なお、アンテナ接続端３２ａの結合点から高周波抵抗手段４３が設けられた位置までの長さが不足する場合には、屋外の商用電源ライン４０とＡＣコンセント４２との間の屋内商用電源ライン４１に高周波抵抗手段４３を設けてもよい。
【図面の簡単な説明】
【００２４】
【図１】本発明の無線通信システムの構成図である。
【図２】本発明の無線通信システムにおける高周波抵抗手段の使用例を示す図である。
【図３】本発明の無線通信システムにおける高周波抵抗手段の使用例を示す図である。
【図４】本発明の無線通信システムにおける高周波抵抗手段の使用例を示す図である。
【図５】従来の無線通信システムの構成図である。
【符号の説明】
【００２５】
３１：無線通信装置
３２：送信回路又は／及び受信回路
３３：電源部
３３ａ：トランス
３３ｂ：整流回路
３４、３４ａ：ＡＣコード
３５：ＡＣプラグ
４０：屋外商用電源ライン
４１：屋内商用電源ライン
４２：ＡＣコンセント
４３：高周波抵抗手段
【図１】
2005311966.tif 000003
【図２】
2005311966.tif 000004
【図３】
2005311966.tif 000005
【図４】
2005311966.tif 000006
【図５】
2005311966.tif 000007